(57)【特許請求の範囲】
【請求項１】
通信情報の入力セルの入力に応じて、前記入力セルが有する前記入力セルの種類についてのセル識別情報に基づき前記入力セルの種類を識別するセル種識別手段と、
通信情報の複数種類のセルの処理に用いる複数種類のセル情報が分割された複数の記憶領域に一又は複数種類毎に記憶保持され、前記入力セルの前記セル識別情報に応じて読み出された前記複数種類のセル情報の一部と前記入力セルの前記セル識別情報とに基づき、前記複数種類のセル情報のうち前記入力セルの処理に必要な所定セル情報を含む記憶領域に記憶保持されたセル情報のみが選択的に読み出されるセル情報記憶手段と、
前記所定セル情報を用いて前記入力セルの通信処理を行い、出力セルとして出力するセル処理手段とを備えたことを特徴とする通信用情報記憶装置。
【請求項２】
請求項１に記載の通信用情報記憶装置において、前記セル種識別手段は、識別した前記入力セルの種類に応じて前記複数種類のセル情報のうち前記入力セルの処理に必要な所定セル情報を選択する選択情報を発生し、前記セル情報記憶手段からは、前記セル識別情報に基づく前記選択情報に応じて前記所定セル情報を含む記憶領域に記憶保持されたセル情報のみが選択的に読み出されることを特徴とする通信用情報記憶装置。
【請求項３】
請求項１又は２に記載の通信用情報記憶装置において、前記セル処理手段は、前記入力セルについて行った前記通信処理に応じて、選択的に読み出された前記セル情報のうち前記セル情報記憶手段の前記記憶領域に書き戻す必要のあるセル情報を選択的に書き戻すものであることを特徴とする通信用情報記憶装置。
【請求項４】
請求項１乃至３のいずれかに記載の通信用情報記憶装置において、前記セル情報記憶手段に記憶保持された前記複数種類のセル情報は、セルの種類に対応したセル情報の種類毎に分類されて記憶保持されているものであることを特徴とする通信用情報記憶装置。
【請求項５】
請求項４に記載の通信用情報記憶装置において、前記セル情報は、行単位で分割された前記セル情報記憶手段の記憶領域に、前記セル情報の種類毎に分類されて記憶保持されているものであることを特徴とする通信用情報記憶装置。
【請求項６】
請求項４に記載の通信用情報記憶装置において、前記セル情報は、列単位で分割された前記セル情報記憶手段の記憶領域に、前記セル情報の種類毎に分類されて記憶保持されているものであることを特徴とする通信用情報記憶装置。
【請求項７】
請求項１乃至６のいずれかに記載の通信用情報記憶装置において、さらに、前記複数種類のセル情報を、前記複数種類のセル情報にそれぞれ与えられたワード情報に基づき識別するセル情報識別手段を備えたことを特徴とする通信用情報記憶装置。
【請求項８】
請求項１乃至７のいずれかに記載の通信用情報記憶装置において、前記セル識別情報は、通信規約におけるセルの経路についての情報であることを特徴とする通信用情報記憶装置。
【請求項９】
請求項１乃至７のいずれかに記載の通信用情報記憶装置において、前記セル識別情報は、通信規約におけるセルのサービス品質についての情報であることを特徴とする通信用情報記憶装置。
【請求項１０】
通信情報の入力セルの入力に応じて、前記入力セルが有する前記入力セルの種類についてのセル識別情報に基づき前記入力セルの種類を識別するセル種識別過程と、
通信情報の複数種類のセルの処理に用いる複数種類のセル情報が分割された複数の記憶領域に一又は複数種類毎に記憶保持されたセル情報記憶手段から、前記入力セルの前記セル識別情報に応じて読み出された前記複数種類のセル情報の一部と前記入力セルの前記セル識別情報とに基づき、前記複数種類のセル情報のうち前記入力セルの処理に必要な所定セル情報を含む記憶領域に記憶保持されたセル情報のみを選択的に読み出す所定セル情報読出し過程と、
前記所定セル情報を用いて前記入力セルの通信処理を行い、出力セルとして出力するセル処理過程とを備えたことを特徴とする通信情報の処理方法。
【請求項１１】
請求項１０に記載の通信情報の処理方法において、前記セル種識別過程は、識別した前記入力セルの種類に応じて前記複数種類のセル情報のうち前記入力セルの処理に必要な所定セル情報を選択する選択情報を発生する選択情報発生過程を含み、前記所定セル情報読出し過程は、前記セル識別情報に基づく前記選択情報に応じて前記所定セル情報を含む記憶領域に記憶保持されたセル情報のみを選択的に読み出す過程であることを特徴とする通信情報の処理方法。
【請求項１２】
請求項１０又は１１に記載の通信情報の処理方法において、さらに、前記セル処理過程において前記入力セルについて行った前記通信処理に応じて、選択的に読み出された前記セル情報のうち前記セル情報記憶手段の前記記憶領域に書き戻す必要のあるセル情報を選択的に書き戻すセル情報書戻し過程を備えたことを特徴とする通信情報の処理方法。
【請求項１３】
請求項１０乃至１２のいずれかに記載の通信情報の処理方法において、前記セル情報記憶手段に記憶保持された前記複数種類のセル情報は、セルの種類に対応したセル情報の種類毎に分類されて記憶保持されているものであることを特徴とする通信情報の処理方法。
【請求項１４】
請求項１３に記載の通信情報の処理方法において、前記セル情報は、行単位で分割された前記セル情報記憶手段の記憶領域に、前記セル情報の種類毎に分類されて記憶保持されているものであることを特徴とする通信情報の処理方法。
【請求項１５】
請求項１３に記載の通信情報の処理方法において、前記セル情報は、列単位で分割された前記セル情報記憶手段の記憶領域に、前記セル情報の種類毎に分類されて記憶保持されているものであることを特徴とする通信情報の処理方法。
【請求項１６】
請求項１０乃至１５のいずれかに記載の通信情報の処理方法において、前記複数種類のセル情報は、前記複数種類のセル情報にそれぞれ与えられたワード情報に基づき識別することができるものであることを特徴とする通信情報の処理方法。
【請求項１７】
請求項１０乃至１６のいずれかに記載の通信情報の処理方法において、前記セル識別情報は、通信規約におけるセルの経路についての情報であることを特徴とする通信情報の処理方法。
【請求項１８】
請求項１０乃至１６のいずれかに記載の通信情報の処理方法において、前記セル識別情報は、通信規約におけるセルのサービス品質についての情報であることを特徴とする通信情報の処理方法。
【発明の詳細な説明】
【０００１】
【発明の属する技術分野】
本発明は通信用情報記憶装置及び通信情報の処理方法に係り、特にＡＴＭ（Ａｓｙｎｃｈｒｏｎｏｕｓ  Ｔｒａｎｓｆｅｒ  Ｍｏｄｅ）伝送装置等のＡＴＭ交換装置における情報記憶装置及び記憶情報の処理方法に関する。
【０００２】
【従来の技術】
データ通信のネットワークにおける高速・大容量の通信を可能にする交換方式に、ＡＴＭ（Ａｓｙｎｃｈｒｏｎｏｕｓ  Ｔｒａｎｓｆｅｒ  Ｍｏｄｅ）があり、ＡＴＭセルの伝送を行うスイッチノードでは、通信規約の定めに従って様々な通信情報のセルの通信処理が行われる。例えば、保守運用管理を担うＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）セルや、ＶＣ（Ｖｉｒｔｕａｌ  Ｃｈａｎｎｅｌ）又はＶＰ（Ｖｉｒｔｕａｌ  Ｐａｔｈ）の流量管理等のリソース管理を行うＲＭ（ＲｅｓｏｕｒｃｅＭａｎａｇｅｍｅｎｔ）セルといったセルの経路の使用は、通常セルの処理に必要とされる情報と異なる情報を必要とし、さらに、通信規約により定められているセルのＱＯＳ（Ｑｕａｌｉｔｙ  ｏｆ  Ｓｅｒｖｉｃｅ；サービス品質（品質クラス））によっても処理に必要とされる情報は異なっている。これらの様々な通信情報のセルの処理を行うための情報は、記憶装置に例えばＶＣ又はＶＰ毎に保持されている。
【０００３】
図６は、従来の通信用情報記憶装置及び通信情報の処理方法におけるセル情報記憶手段の記憶領域の割当てを模式的に示した説明図である。
【０００４】
従来の通信用情報記憶装置及び通信情報の処理方法においては、これらの情報は、通信情報のセルの種別、例えばセルのサービス品質、ペイロード、経路等の情報によるセルの種別によらず、情報の要素毎にセル情報記憶手段中の一定の領域を割り当てられて記憶されている。即ち、すべてのセルの処理に共通して必要な共通セル情報６０、各セル種別にセル種１用情報６１、セル種２用情報６２、セル種３用情報６３、セル種４用情報６４、．．．、セル種Ｎ用情報６５のように、情報の要素毎にセル種別によらず一定の記憶領域を順次割り当てられて記憶されている。このようなセルの種別によらない記憶領域の割当ての態様においては、図６に示されるように、記憶領域を可能な限り効率よく使用するような割当てが行われる。
【０００５】
図７は、従来の通信情報の処理方法に用いられる通信用情報記憶装置のブロック図である。
【０００６】
従来の通信用情報記憶装置７０の構成の概略は、セル情報を記憶するセル情報記憶手段７３と、入力セル７４の入力に応じてセル情報記憶手段７３に対し、セル情報の読出し指令を行ってセル情報を読み出し（セル情報読出し指令７６、セル情報７７）、このセル情報７７を用いて入力セル７４を処理し、出力セル７５として出力するセル処理手段７２とから構成されている。
【０００７】
セル情報記憶手段７３の典型的な一例は図６に示されるものであり、従って、セル情報記憶手段７３に記憶された情報を使用する際は、セルの種別によらずすべてのセル情報を読み出して使用する。
【０００８】
【発明が解決しようとする課題】
しかしながら、上述した従来の通信用情報記憶装置及び通信情報の処理方法においては、以下のような問題点があった。
【０００９】
即ち、通信情報のセル種別に依存しないセル情報記憶手段の構成又はセルの処理方法では、当該通信用情報記憶装置において処理対象となるセルの処理に使用されないセル情報までもセル情報記憶手段に保持するため、これに応じてセル情報記憶手段中の記憶領域が本来不必要な領域まで使用されることとなり、また、セル処理手段に情報を読み込む際においても冗長なアクセス時間を費やすこととなる。
【００１０】
また、同一のＶＣ又はＶＰを有するセルであっても、そのセル種別に依存して処理に必要な情報は異なるにもかかわらず、セル種別に依存せずに常に同一の記憶領域の記憶情報を読み込むことは、セル情報記憶手段にアクセスする機会や時間を不必要に浪費することとなる。
【００１１】
さらに、従来のセル情報記憶手段の構成では、記憶すべき情報を追加しなければならない場合には、以下のような不都合があった。
【００１２】
図８は、従来の通信用情報記憶装置及び通信情報の処理方法におけるセル情報記憶手段の記憶領域に、追加情報を記憶させる場合の記憶領域の割当てを模式的に示した説明図である。
【００１３】
例えば、セル情報記憶手段の記憶領域８０の幅がアクセス等に都合の良い３２ビットで構成されていた場合において、さらに追加情報８１を記憶させなければならない場合について検討する。従来のセル情報記憶手段の構成では記憶領域を可能な限り効率よく使用するような割当てが行われているため、アクセス回数が３回に限られており、既にセル情報に追加情報を追加する余裕がない場合において、セル情報の記憶領域が３段で構成されていたとすると、セルの記憶領域の３段の構成を変えずに追加情報８１を追加するためには、追加情報８０を追加情報８２、８３、８４に３分割して各段に追加するという形態を採らざるを得ない。その結果、記憶領域の幅は、例えば３４ビット等となって、アクセスの効率が低下する等の不都合が生ずることとなる。
【００１４】
本発明は上記問題点に鑑みてなされたもので、その目的は、通信用情報記憶装置の記憶容量の利用効率及び通信用情報記憶装置に対するアクセスの効率を向上させる通信用情報記憶装置及び通信情報の処理方法を提供することである。
【００１６】
【課題を解決するための手段】
本発明に係る通信用情報記憶装置によれば、
通信情報の入力セルの入力に応じて、入力セルが有する入力セルの種類についてのセル識別情報に基づき入力セルの種類を識別するセル種識別手段と、
通信情報の複数種類のセルの処理に用いる複数種類のセル情報が分割された複数の記憶領域に一又は複数種類毎に記憶保持され、入力セルのセル識別情報に応じて読み出された複数種類のセル情報の一部と入力セルのセル識別情報とに基づき、複数種類のセル情報のうち入力セルの処理に必要な所定セル情報を含む記憶領域に記憶保持されたセル情報のみが選択的に読み出されるセル情報記憶手段と、
所定セル情報を用いて入力セルの通信処理を行い、出力セルとして出力するセル処理手段とを備えたことを特徴とし、
入力されたセルの種別についての情報を識別するセル種識別手段を設け、セル種識別手段により識別されたセル識別情報に応じて読み出された複数種類のセル情報の一部と入力セルのセル識別情報とに基づいて、当該セルの処理に必要なセル情報を含む記憶領域に記憶保持されたセル情報のみをセル情報記憶手段から選択的に読出し書込みして、当該セルの処理を行うこととしたので、
セル情報記憶手段へのアクセス回数を低減してアクセスの効率を向上させることができ、かつ、セル情報記憶手段の記憶容量の利用効率を向上させることができる。
【００１７】
セル種識別手段は、識別した入力セルの種類に応じて複数種類のセル情報のうち入力セルの処理に必要な所定セル情報を選択する選択情報を発生し、セル情報記憶手段からは、セル識別情報に基づく選択情報に応じて所定セル情報を含む記憶領域に記憶保持されたセル情報のみが選択的に読み出されるものとしたので、
セル種識別手段により識別されたセルの種別に応じて当該セルの処理に必要なセル情報を含む記憶領域に記憶保持されたセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００１８】
セル処理手段は、入力セルについて行った通信処理に応じて、選択的に読み出されたセル情報のうちセル情報記憶手段の記憶領域に書き戻す必要のあるセル情報を選択的に書き戻すものとしたので、
セル情報記憶手段へのアクセス回数を低減してアクセスの効率及びセル情報記憶手段の記憶容量の利用効率を向上させることができ、さらに、統計情報等の管理を効率的に行うことができる。
【００１９】
セル情報記憶手段に記憶保持された複数種類のセル情報は、セルの種類に対応したセル情報の種類毎に分類されて記憶保持されているものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００２０】
セル情報は、行単位で分割されたセル情報記憶手段の記憶領域に、セル情報の種類毎に分類されて記憶保持されているものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００２１】
セル情報は、列単位で分割されたセル情報記憶手段の記憶領域に、セル情報の種類毎に分類されて記憶保持されているものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００２２】
さらに、複数種類のセル情報を、複数種類のセル情報にそれぞれ与えられたワード情報に基づき識別するセル情報識別手段を備えたものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００２３】
セル識別情報は、通信規約におけるセルの経路についての情報であるものとすると良い。
【００２４】
セル識別情報は、通信規約におけるセルのサービス品質についての情報であるものとすると良い。
【００２６】
本発明に係る通信情報の処理方法によれば、
通信情報の入力セルの入力に応じて、入力セルが有する入力セルの種類についてのセル識別情報に基づき入力セルの種類を識別するセル種識別過程と、
通信情報の複数種類のセルの処理に用いる複数種類のセル情報が分割された複数の記憶領域に一又は複数種類毎に記憶保持されたセル情報記憶手段から、入力セルのセル識別情報に応じて読み出された複数種類のセル情報の一部と入力セルのセル識別情報とに基づき、複数種類のセル情報のうち入力セルの処理に必要な所定セル情報を含む記憶領域に記憶保持されたセル情報のみを選択的に読み出す所定セル情報読出し過程と、
所定セル情報を用いて入力セルの通信処理を行い、出力セルとして出力するセル処理過程とを備えたことを特徴とし、
入力されたセルの種別についての情報を識別し、セル種識別手段により識別されたセル識別情報に応じて読み出された複数種類のセル情報の一部と入力セルのセル識別情報とに基づいて、当該セルの処理に必要なセル情報を含む記憶領域に記憶保持されたセル情報のみをセル情報記憶手段から選択的に読出し書込みして、当該セルの処理を行うこととしたので、
セル情報記憶手段へのアクセス回数を低減してアクセスの効率を向上させることができ、かつ、セル情報記憶手段の記憶容量の利用効率を向上させることができる。
【００２７】
セル種識別過程は、識別した入力セルの種類に応じて複数種類のセル情報のうち入力セルの処理に必要な所定セル情報を選択する選択情報を発生する選択情報発生過程を含み、所定セル情報読出し過程は、セル識別情報に基づく選択情報に応じて所定セル情報を含む記憶領域に記憶保持されたセル情報のみを選択的に読み出す過程であるものとしたので、
セル種識別手段により識別されたセルの種別に応じて当該セルの処理に必要なセル情報を含む記憶領域に記憶保持されたセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００２８】
さらに、セル処理過程において入力セルについて行った通信処理に応じて、選択的に読み出されたセル情報のうちセル情報記憶手段の記憶領域に書き戻す必要のあるセル情報を選択的に書き戻すセル情報書戻し過程を備えたものとしたので、
セル情報記憶手段へのアクセス回数を低減してアクセスの効率及びセル情報記憶手段の記憶容量の利用効率を向上させることができ、さらに、統計情報等の管理を効率的に行うことができる。
【００２９】
セル情報記憶手段に記憶保持された複数種類のセル情報は、セルの種類に対応したセル情報の種類毎に分類されて記憶保持されているものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００３０】
セル情報は、行単位で分割されたセル情報記憶手段の記憶領域に、セル情報の種類毎に分類されて記憶保持されているものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００３１】
セル情報は、列単位で分割されたセル情報記憶手段の記憶領域に、セル情報の種類毎に分類されて記憶保持されているものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００３２】
複数種類のセル情報は、複数種類のセル情報にそれぞれ与えられたワード情報に基づき識別することができるものとしたので、
セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００３３】
セル識別情報は、通信規約におけるセルの経路についての情報であるものとすると良い。
【００３４】
セル識別情報は、通信規約におけるセルのサービス品質についての情報であるものとすると良い。
【００３５】
【発明の実施の形態】
以下、図面を参照しながら本発明に係る通信用情報記憶装置及び通信情報の処理方法の実施の形態について説明する。
【００３６】
本発明に係る通信用情報記憶装置の特徴は、通信情報のセルの処理に必要なセル情報を保持するセル情報記憶手段と、セル情報を用いてセルの処理を行うセル処理手段とに加えて、入力されたセルの種別についての情報を識別するセル種識別手段を設け、セル種識別手段により識別されたセルの種別に応じて当該セルの処理に必要なセル情報をセル情報記憶手段から選択的に使用できるようにしたことにある。即ち、本発明に係る通信用情報記憶装置におけるセル処理手段は、セル種識別手段により識別されたセル種別に応じて、当該セルの処理に必要な情報を含む記憶領域のセル情報のみをセル情報記憶手段から選択的に読出し書込みして、当該セルの処理を行うことができる。
【００３７】
従って、セル情報記憶手段へのアクセス回数を低減することができ、かつ、セル情報記憶手段の記憶容量の利用効率を向上させることができる。
【００３８】
図１は、本発明に係る通信用情報記憶装置の実施の形態のブロック図である。通信用情報記憶装置１０は、通信情報のセルの通信のためにセルに関する処理を行う手段であり、具体的な構成は以下の通りである。入力セル１４の入力に応じて、入力セル１４のセルの種類についてのセル識別情報を識別し、識別したセルの種類に応じてセル種ごとに当該セルの処理に必要な情報の種類を選択する選択情報１６を発生するセル種識別手段１１と、セルの処理に必要なセル情報が記憶され、セル種識別手段１１からの選択情報１６に応じて、選択されたセル情報１７が読み出されるセル情報記憶手段１３と、セル情報記憶手段１３から選択的に読み出されたセル情報１７を用いて入力セル１４の通信処理を行い、出力セル１５として出力するセル処理手段とから本発明に係る通信用情報記憶装置１０は構成されている。
【００３９】
セル種識別手段１１は入力セル１４の入力に応じて、入力セル１４の種別、例えばセルのサービス品質、ペイロード、経路等の情報により入力セル１４のセル種別を識別し、入力セル１４の処理に必要なセル情報の種類を選択する選択情報１６を発生し、セル情報記憶手段１３に対して出力する。選択情報１６が入力されたセル情報記憶手段１３からは、その選択情報１６に従って選択されたセル情報１７が読み出され、セル情報１７はセル処理手段１２に対して出力され、書き込まれる。あるいは、セル種識別手段１１において入力セル１４の種別に応じて発生された第１の選択情報１６に対応して、セル情報記憶手段１３から必要最小限のセル情報１７を読み出してセル処理手段１２に書き込むとともにセル種識別手段１１にフィードバックし、セル種識別手段１１においてさらに追加のセル情報が必要か否かをこの必要最小限のセル情報１７と入力セル１４の種別とに基づいて判断し、必要な場合には追加のセル情報を選択する第２の選択情報１６を発生して、入力セル１４の処理に必要な追加のセル情報をセル情報記憶手段１３から読出し、必要な追加のセル情報１７をセル処理手段１２に対して出力し、書き込むようにしても良い。セル処理手段１２では、選択的に読出し書込みされたセル情報１７を用いて入力セル１４の通信のための処理を行い、出力セル１５として出力する。さらに、セル処理手段１２は入力セル１４の処理を行った後、選択的に読み出されたセル情報のうち、セル情報記憶手段１３の記憶領域に対して書き戻す必要のあるセル情報を選択的に書き戻すものとすると良い。例えば、セルの流量管理、情報経路の接続・断絶の頻度等についての統計情報を書き戻す必要のあるセル情報について、選択的な書戻しを行うようにする。これにより、統計情報等の管理を効率的に行うことができる。
【００４０】
セル情報記憶手段１３が外部記憶装置である場合には、上述のように、セル種別毎に必要な情報について選択的にセル情報記憶手段から読出し書込みを行うことにより、外部記憶装置であるセル情報記憶手段とのアクセスの効率を向上させることができる。
【００４１】
また、通信用情報記憶装置１０に入力されると予想されるセルの処理に必要な情報のみを、セル情報記憶手段１３に記憶させることによってセル情報記憶手段１３の記憶容量の利用効率を向上させることができる。
【００４２】
図２は、本発明に係る通信用情報記憶装置及び通信情報の処理方法の実施の形態において、通信情報のセルの種別によってセルの処理に用いる情報が異なる場合のセル情報記憶手段の記憶領域の割当てを模式的に示した説明図である。
【００４３】
通信情報のセルの処理に必要なセル情報は、すべてのセルの処理に共通して必要な共通セル情報２０、各セル種別にその処理に必要とされる固有の情報又は特別なセル種の範疇にあるものの処理に必要な固有の情報であるセル種１用情報２１、セル種２用情報２２、．．．、セル種Ｎ用情報２３とをそれぞれ分離して記憶領域を割り当て、記憶保持されている。記憶領域の分割割り当ては、セル情報の選択的読出しが容易となるように、記憶領域を行（ロー）単位又は列（カラム）単位で分割することにより行い、分割された各記憶領域に各セル情報をセル情報の種類毎に分けて記憶保持させる。
【００４４】
通信情報のセルの種別によってセルの処理に用いる情報が異なる場合には、図２に示されるように、共通セル情報２０、セル種１用情報２１、セル種２用情報２２、．．．、セル種Ｎ用情報２３をそれぞれ分離して記憶領域を割り当て、セルの処理に際し当該セルの処理に必要な情報のみについて選択的に読出し書込みを行い使用することによって、セル情報記憶手段へのアクセスの効率と記憶容量の利用効率とを向上させることができる。
【００４５】
また、常に同時に使用する複数のセル情報が、１ワードで読出し可能な記憶領域に収まる場合には、同時に使用するセル情報毎に記憶領域を割り当てて記憶保持することにより、さらにセル情報記憶手段へのアクセスの効率と記憶容量の利用効率とを向上させることができる。同時に使用しない複数のセル情報についても、１ワードで読出し可能な記憶領域に収まる場合には、当該記憶領域に記憶可能な複数のセル情報をまとめて記憶保持させても良い。
【００４６】
従って、以上のいずれの場合においても、入力セルの処理に使用されないセル情報のみが記憶保持されている記憶領域を除く各記憶領域のセル情報が読み出されることになり、記憶容量の利用効率を優先した場合には、入力セルの処理に使用されないセル情報も使用されるセル情報とともに読み出されることもあり得るが、必要な記憶領域のセル情報を読み出すためのワード数は常に最小限のものとすることができる。
【００４７】
より具体的なセル情報記憶手段の記憶領域の割当てについて、以下説明する。
【００４８】
図３は、本発明に係る通信用情報記憶装置及び通信情報の処理方法の実施の形態において、ＲＭ（Ｒｅｓｏｕｒｃｅ  Ｍａｎａｇｅｍｅｎｔ）セルの種別によるセル情報記憶手段の記憶領域の割当てを模式的に表した説明図である。
【００４９】
図３のＲＭセルの種別によるセル情報記憶手段の記憶領域の割当てにおいては、すべてのセルの処理に共通して必要とされる共通セル情報３０と、Ｌｏｏｐ  Ｂａｃｋセルの処理にのみ用いるＬｏｏｐ  Ｂａｃｋ用情報３１と、ＢＥＣＮセルの処理にのみ用いるＢＥＣＮ用情報３２とに記憶領域が分割されて割り当てられている。
【００５０】
ＲＭセルの種別による選択的な記憶情報の使用方法について説明する。ＲＭセルの種類には、Ｌｏｏｐ  ＢａｃｋセルとＢＥＣＮ（Ｂａｃｋｗａｒｄ  Ｅｘｐｌｉｃｉｔ  Ｃｏｎｇｅｓｔｉｏｎ  Ｎｏｔｉｆｉｃａｔｉｏｎ）セルとがあり、Ｌｏｏｐ  Ｂａｃｋセルはマルチキャスト時のみに、ＢＥＣＮセルはユニキャスト時のみにそれぞれ発生する。即ち、Ｌｏｏｐ  ＢａｃｋセルとＢＥＣＮセルとは、同一スイッチノードの同一のＶＣ（Ｖｉｒｔｕａｌ  Ｃｈａｎｎｅｌ）又はＶＰ（Ｖｉｒｔｕａｌ  Ｐａｔｈ）においては、同時に発生することはない。従って、Ｌｏｏｐ  Ｂａｃｋセルの処理に使用するＬｏｏｐ  Ｂａｃｋ用情報とＢＥＣＮセルの処理に使用するＢＥＣＮ用情報とは同時に使用されることはなく、ＲＭセルを処理する場合にはＬｏｏｐ  Ｂａｃｋ用情報とＢＥＣＮ用情報とのいずれかを選択的に使用することになる。
【００５１】
例えば、通信情報のセルの処理に必要な情報を外部記憶装置に記憶させ保持する場合、図３に示したように、セルの処理に必要な情報を、すべてのセルの処理に共通して必要とされる共通セル情報３０と、Ｌｏｏｐ  Ｂａｃｋセルの処理にのみ用いるＬｏｏｐ  Ｂａｃｋ用情報３１と、ＢＥＣＮセルの処理にのみ用いるＢＥＣＮ用情報３２とに分類して記憶させ保持しておく。このような情報の分類を例えばワードによって行い、必要な情報を含むワードを入力することにより、当該外部記憶装置からセルの処理に必要な情報を選択的に最小限のアクセスにより読み出すことができる。
【００５２】
また、外部記憶装置に保持する情報についても、不要なセル情報のワードをあらかじめ削除しておけば、外部記憶装置の記憶領域を効率よく使用することができる。例えば、ＡＴＭ通信における通信情報のＱＯＳ（Ｑｕａｌｉｔｙ  ｏｆ  Ｓｅｒｖｉｃｅ；サービス品質（品質クラス））には、後述するように、ＡＢＲクラスとＡＢＲクラス以外のクラスとがあり、ＡＢＲクラスではＲＭセルの処理が必要とされるのに対し、ＡＢＲクラス以外のクラスではＲＭセルの処理は不要である。従って、ＡＢＲクラスの通信情報を取り扱うことのない回線に配設された通信用情報記憶装置の記憶領域のテーブルからＲＭセルの処理に必要とされるセル情報のワードをあらかじめ削除しておくことにより、記憶領域を無駄なく使用することができる。
【００５３】
図４は、本発明に係る通信用情報記憶装置及び通信情報の処理方法の実施の形態において、ＱＯＳの種別によるセル情報記憶手段の記憶領域の割当てを模式的に表した説明図である。
【００５４】
図４のＱＯＳの種別によるセル情報記憶手段の記憶領域の割当てにおいては、すべての通信情報のセルの処理に共通して必要とされる共通セル情報４０と、ＡＢＲクラスのセルの処理にのみ必要とされるＡＢＲ用情報とに記憶領域が分割されて割り当てられている。
【００５５】
記憶情報の分類した記憶保持及び選択的な使用は、ＱＯＳについても効果的である。ＱＯＳの種類は、ＡＢＲクラスとＡＢＲクラス以外のクラスとに分類されるが、ＡＢＲクラスではＲＭセルによって流量を管理するための情報が必要とされるのに対し、ＡＢＲクラス以外のクラスではＲＭセルの処理がないのでＲＭセルの処理の関する情報は不要である。そこで、図４に示したように、通信情報のセルの処理に必要な情報を、すべてのセルの処理に共通して必要とされる共通セル情報４０と、ＡＢＲクラスのセルの処理にのみ必要とされるＡＢＲ用情報とに分類して記憶保持し、選択的に使用することにより、セル情報記憶手段へのアクセスの効率と、記憶容量の利用効率を向上させることができる。
【００５６】
さらに、本発明に係る通信用情報記憶装置のセル情報記憶手段の構成は、記憶すべき情報を追加しなければならない場合においても、以下に説明するように効果がある。
【００５７】
図５は、本発明に係る通信用情報記憶装置及び通信情報の処理方法におけるセル情報記憶手段の記憶領域に、追加情報を記憶させる場合の記憶領域の割当てを模式的に示した説明図である。
【００５８】
最初に、共通セル情報５０、セル種１用情報５１、セル種２用情報５２、セル種３用情報５３、セル種４用情報５４、セル種５用情報５５、セル種６用情報５６がそれぞれ記憶領域に記憶保持されていたとし、ここにセル種３用情報５３への追加情報であるセル種３’用情報５７を追加する場合について説明する。ここで、セル種２用情報５２とセル種３用情報５３とは同時に使用されることがないセル情報であるものとする。即ち、記憶領域の利用効率を優先してセル種２用情報５２とセル種３用情報５３とが同一のワードで読み出される記憶領域に記憶保持され、セル種２用情報５２又はセル種３用情報５３のうち一方を使用する場合には、使用しない他方も同時に読み出される状態であるものとする。
【００５９】
ここに、追加セル種３’用情報５７を追加する場合、追加セル種３’用情報５７自体は分割せずに、同時に使用しないにもかかわらず記憶領域の利用効率を優先して同一のワードで読み出される記憶領域に記憶保持されているセル種２用情報５２とセル種３用情報５３とを別々のワードで読み出される記憶領域に分割して記憶保持し、セル種３用情報５３が記憶保持された記憶領域の余白領域に追加セル種３’用情報５７を記憶保持させる。場合によっては、余白領域５８、５９が生ずることもあり得る。
【００６０】
例えば、第１のセルを処理するために共通セル情報５０、セル種１用情報５１、セル種２用情報５２が必要であり、第２のセルを処理するために共通セル情報５０、セル種１用情報５１、セル種３用情報５３（追加情報の追加後はさらに追加セル種３’用情報５７）が必要であるとすると、追加セル種３’用情報５７の追加前と追加後とにおいて、第１のセル、第２のセルいずれの処理に際しても、２ワードで読み出される記憶領域のセル情報が必要であることに変わりはない。即ち、記憶領域全体の構成は変更しても、アクセスの効率を低下させることなく追加セル種３’用情報５７を追加して記憶保持させることができる。
【００６２】
【発明の効果】
以上説明したように、本発明に係る通信用情報記憶装置によれば、入力されたセルの種別についての情報を識別するセル種識別手段を設け、セル種識別手段により識別されたセル識別情報に応じて読み出された複数種類のセル情報の一部と入力セルのセル識別情報とに基づいて、当該セルの処理に必要なセル情報を含む記憶領域に記憶保持されたセル情報のみをセル情報記憶手段から選択的に読出し書込みして、当該セルの処理を行うこととしたので、セル情報記憶手段へのアクセス回数を低減してアクセスの効率を向上させることができ、かつ、セル情報記憶手段の記憶容量の利用効率を向上させることができる。
【００６３】
セル種識別手段は、識別した入力セルの種類に応じて複数種類のセル情報のうち入力セルの処理に必要な所定セル情報を選択する選択情報を発生し、セル情報記憶手段からは、セル識別情報に基づく選択情報に応じて所定セル情報を含む記憶領域に記憶保持されたセル情報のみが選択的に読み出されるものとしたので、セル種識別手段により識別されたセルの種別に応じて当該セルの処理に必要なセル情報を含む記憶領域に記憶保持されたセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００６４】
セル処理手段は、入力セルについて行った通信処理に応じて、選択的に読み出されたセル情報のうちセル情報記憶手段の記憶領域に書き戻す必要のあるセル情報を選択的に書き戻すものとしたので、セル情報記憶手段へのアクセス回数を低減してアクセスの効率及びセル情報記憶手段の記憶容量の利用効率を向上させることができ、さらに、統計情報等の管理を効率的に行うことができる。
【００６５】
セル情報記憶手段に記憶保持された複数種類のセル情報は、セルの種類に対応したセル情報の種類毎に分類されて記憶保持されているものとしたので、セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００６６】
さらに、複数種類のセル情報を、複数種類のセル情報にそれぞれ与えられたワード情報に基づき識別するセル情報識別手段を備えたものとしたので、セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００６７】
さらに追加情報をセル情報記憶手段に記憶させなければならない場合においても、追加情報を分割せず、かつ、記憶領域全体の構成を変更せずに、追加情報をセル情報記憶手段に記憶させることができ、セル情報記憶手段へのアクセスの効率の低下を防止することができる。
【００６９】
また、本発明に係る通信情報の処理方法によれば、入力されたセルの種別についての情報を識別し、セル種識別手段により識別されたセル識別情報に応じて読み出された複数種類のセル情報の一部と入力セルのセル識別情報とに基づいて、当該セルの処理に必要なセル情報を含む記憶領域に記憶保持されたセル情報のみをセル情報記憶手段から選択的に読出し書込みして、当該セルの処理を行うこととしたので、セル情報記憶手段へのアクセス回数を低減してアクセスの効率を向上させることができ、かつ、セル情報記憶手段の記憶容量の利用効率を向上させることができる。
【００７０】
セル種識別過程は、識別した入力セルの種類に応じて複数種類のセル情報のうち入力セルの処理に必要な所定セル情報を選択する選択情報を発生する選択情報発生過程を含み、所定セル情報読出し過程は、セル識別情報に基づく選択情報に応じて所定セル情報を含む記憶領域に記憶保持されたセル情報のみを選択的に読み出す過程であるものとしたので、セル種識別手段により識別されたセルの種別に応じて当該セルの処理に必要なセル情報を含む記憶領域に記憶保持されたセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００７１】
さらに、セル処理過程において入力セルについて行った通信処理に応じて、選択的に読み出されたセル情報のうちセル情報記憶手段の記憶領域に書き戻す必要のあるセル情報を選択的に書き戻すセル情報書戻し過程を備えたものとしたので、セル情報記憶手段へのアクセス回数を低減してアクセスの効率及びセル情報記憶手段の記憶容量の利用効率を向上させることができ、さらに、統計情報等の管理を効率的に行うことができる。
【００７２】
セル情報記憶手段に記憶保持された複数種類のセル情報は、セルの種類に対応したセル情報の種類毎に分類されて記憶保持されているものとしたので、セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【００７３】
複数種類のセル情報は、複数種類のセル情報にそれぞれ与えられたワード情報に基づき識別することができるものとしたので、セル種識別手段により識別されたセルの種別に応じて当該セルの処理に必要なセル情報のみをセル情報記憶手段から選択的に読出し書込みして、当該セルの処理を行うことにより、セル情報記憶手段へのアクセス回数を低減してアクセスの効率を向上させることができ、かつ、セル情報記憶手段の記憶容量の利用効率を向上させることができる。
【図面の簡単な説明】
【図１】本発明に係る通信用情報記憶装置の実施の形態のブロック図。
【図２】本発明に係る通信用情報記憶装置及び通信情報の処理方法の実施の形態において、セルの種別によってセルの処理に用いる情報が異なる場合のセル情報記憶手段の記憶領域の割当てを模式的に示した説明図。
【図３】本発明に係る通信用情報記憶装置及び通信情報の処理方法の実施の形態において、ＲＭセルの種別によるセル情報記憶手段の記憶領域の割当てを模式的に表した説明図。
【図４】本発明に係る通信用情報記憶装置及び通信情報の処理方法の実施の形態において、ＱＯＳの種別によるセル情報記憶手段の記憶領域の割当てを模式的に表した説明図。
【図５】本発明に係る通信用情報記憶装置及び通信情報の処理方法におけるセル情報記憶手段の記憶領域に、追加情報を記憶させる場合の記憶領域の割当てを模式的に示した説明図。
【図６】従来の通信用情報記憶装置及び通信情報の処理方法におけるセル情報記憶手段の記憶領域の割当てを模式的に示した説明図。
【図７】従来の通信情報の処理方法に用いられる通信用情報記憶装置のブロック図。
【図８】従来の通信用情報記憶装置及び通信情報の処理方法におけるセル情報記憶手段の記憶領域に、追加情報を記憶させる場合の記憶領域の割当てを模式的に示した説明図。
【符号の説明】
１０、７０  通信用情報記憶装置
１１  セル種識別手段
１２、７２  セル処理手段
１３、７３  セル情報記憶手段
１４、７４  入力セル
１５、７５  出力セル
１６  選択情報
１７  セル情報
２０、３０、４０、５０、６０  共通セル情報
２１、５１、６１  セル種１用情報
２２、５２、６２  セル種２用情報
２３、６５  セル種Ｎ用情報
３１  Ｌｏｏｐ  Ｂａｃｋ用情報
３２  ＢＥＣＮ用情報
４１  ＡＢＲ用情報
５７  追加情報
７６  セル情報読出し指令
７７  セル情報
【図１】
0003562897.tif 000002
【図２】
0003562897.tif 000003
【図３】
0003562897.tif 000004
【図４】
0003562897.tif 000005
【図５】
0003562897.tif 000006
【図６】
0003562897.tif 000007
【図７】
0003562897.tif 000008
【図８】
0003562897.tif 000009